(57)【要約】【課題】物質表面の親水状態を容易に検査することのできる親水状態検査方法を提供する。【解決手段】ガラス１の表面に光触媒を利用して親水性を有するよう形成した検査被膜２の表面に、有色の水性染料を、水に溶かして形成した有色水溶液を線状の文字形状に供給し、その後、その文字形状に供給した有色水溶液中の水成分を乾燥させ、その後、その検査被膜２上に残存した水性染料の残存状態を目視により観測して、文字として読めるかどうかを判別する。【選択図】　　　　図１
2004028721.tif 000002
【特許請求の範囲】
【請求項１】
物質表面の親水状態を検査する方法であって、有色材料を含有させてなる有色水溶液を、前記物質表面に線状に供給した後、その線状に供給した前記有色水溶液中の水成分を乾燥させ、その水成分の乾燥後、前記物質表面に残存した前記有色材料のうち、前記線状に供給した部分における残存状態を観測することを特徴とする親水状態検査方法。
【請求項２】
前記有色水溶液を保水すると共に、前記物質表面に押圧されたときに、前記保水した有色水溶液を前記物質表面に供給する保水部が設けられたスタンプにより、前記有色水溶液は供給されることを特徴とする請求項１に記載の親水状態検査方法。
【請求項３】
前記保水部は、弾性体よりなることを特徴とする請求項２に記載の親水状態検査方法。
【請求項４】
前記有色材料は、光分解性又は熱分解性を有することを特徴とする請求項１乃至請求項３のいずれかに記載の親水状態検査方法。
【請求項５】
前記有色材料は、水性の有色インクよりなることを特徴とする請求項１乃至請求項４のいずれかに記載の親水状態検査方法。
【発明の詳細な説明】
【０００１】
【発明の属する技術分野】
本発明は、物質表面の親水状態を検査する検査方法に関する。
【０００２】
【従来の技術】
従来、ガラス等の基材表面の機能向上の一つとして、曇り止め機能を設けるものがある。これは、基材表面に、親水性の被膜を形成することで実現できるのであるが、形成した被膜が所望の親水性を有しているのかを検査する必要があった。その形成した被膜の親水状態を検査する方法としては、例えば、その被膜表面に水を供給して、その供給した水の被膜表面における水滴化の状態で判断するものがあった。これは、例えば、その被膜表面に供給した水の水滴が、被膜表面に対して小さい角度（例えば、接触角度９．８°）で接触しているときには、その被膜は十分な親水状態を有する、と判断し、逆に、水滴が、被膜表面に対して大きな角度（例えば，接触角度８９．６°）で接触しているときには、その被膜は親水状態でない、と判断していた。すなわち、この検査方法では、水滴の被膜表面に対する接触角度を測定することで、その親水状態を判断していた。
【０００３】
しかし、この検査方法においては、検査する被膜表面が淡彩色である場合には、その被膜表面に当たる光の加減で、透明な水滴と被膜表面との色差が小さくなり、水滴の接触角度を確認しにくくなってしまうことがある。そこで、透明な水に着色を施して有色にしてから、被膜表面に滴下するようにしてもよいが、滴下した有色水の水滴が小さい場合には、やはりその水滴の接触角度の測定が困難になることがある。これを防止するためには、水滴と被膜表面との接触角度の測定を行い易い大きさの水滴を、被膜表面に安定して滴下する必要があるが、これは熟練度を要し、非常に困難であった。
【０００４】
また、測定し易い大きさの水滴が被膜表面上に形成されるまで、水を滴下し続けるようにしてもよいが、被膜の形成箇所によっては、水を大量に滴下できないようなこともあるため、親水状態の検査を安定して行うことのできる検査方法が切望されていた。
【０００５】
【発明が解決しようとする課題】
そこで、本発明は上記問題点に鑑みてなされたもので、その目的とするところは、物質表面の親水状態を容易に検査することのできる親水状態検査方法を提供することにある。
【０００６】
【課題を解決するための手段】
本発明の請求項１に係る親水状態検査方法は、物質表面の親水状態を検査する方法であって、有色材料を含有させてなる有色水溶液を、前記物質表面に線状に供給した後、その線状に供給した前記有色水溶液中の水成分を乾燥させ、その水成分の乾燥後、前記物質表面に残存した前記有色材料のうち、前記線状に供給した部分における残存状態を観測することを特徴とする。
【０００７】
請求項２の発明では、請求項１の発明において、前記有色水溶液を保水すると共に、前記物質表面に押圧されたときに、前記保水した有色水溶液を前記物質表面に供給する保水部が設けられたスタンプにより、前記有色水溶液は供給されることを特徴とする。
【０００８】
請求項３の発明では、請求項２の発明において、前記保水部は、弾性体よりなることを特徴とする。
【０００９】
請求項４の発明では、請求項１乃至請求項３のいずれかに記載の発明において、前記有色材料は、光分解性又は熱分解性を有することを特徴とする。
【００１０】
請求項５の発明では、請求項１乃至請求項４のいずれかに記載の発明において、前記有色材料は、水性の有色インクよりなることを特徴とする。
【００１１】
【発明の実施の形態】
以下、本発明の実施の形態を図示例と共に説明する。
【００１２】
（第１実施形態）
本発明に係わる親水状態検査方法の第１の実施の形態を、図１を参照して以下に説明する。本実施の形態における親水状態の検査方法は、図１（ａ）に示すように、親水性を有するよう形成した親水性被膜としての検査被膜２の表面に、有色材料としての水性染料を水に溶かした有色水溶液を線状に供給し、その後で、その線状に供給した部分における有色水溶液の水成分を乾燥させ、その線状に供給した部分における水性染料の残存状態を観測してなる。
【００１３】
検査被膜２は、基材としてのガラス１の表面を、光触媒を使用して親水性を有するよう親水加工処理したものとしている。なお、検査被膜２は、光触媒により親水加工処理したものに限らず、その他のいかなる方法で親水化させたものであってもよい。
【００１４】
水性染料は、有色の水性インクを用いている。この水性インクの色としては、どのような色のものであってもよいが、検査被膜２に対し色差の大きいものを用いるようにすると、検査被膜２と水性染料とをより明瞭に識別することができて好ましい。これは例えば、検査被膜２が白色であった場合には、水性染料としては黒色等の暗色系のものを用いるようにし、逆に検査被膜２が暗色系であった場合には、水性染料は明色系のものを用いるようにすればよい。また、検査被膜２が透明であった場合には、その検査被膜２の下地としての基材表面の色に対して、色差が大きくなるような色の水性染料を用いるようにすればよい。
【００１５】
有色水溶液を線状に供給する供給手段としては、保水性を有する保水ゴムがスタンプ本体に貼着された、所謂市販のゴム印としている。この保水ゴムのゴム強度としては、３５〜７０程度のものを用いるようにすると、検査被膜２への有色水溶液の供給が容易となり、好ましい。このゴム印の保水ゴムを、検査被膜２に押圧（スタンプ）すると、保水ゴムは、保水した水溶液を、垂らさずその場に留まるように、所定量だけ塗布する。また、その保水ゴムは、ゴム印の印影が線状になるように、その一面に線状の文字を彫刻加工してある。
【００１６】
有色水溶液中の水成分の乾燥は、屋外又は屋内の大気中で自然乾燥させることとしているが、扇風機を使用して送風乾燥するようにすれば、より短時間で乾燥させることも可能となる。
【００１７】
水性染料の残存状態の観測は、同じゴム印を用いて、普通紙にスタンプした印影と、検査被膜２にスタンプした印影との一致度を、目視により判別することとしている。なお、この観測は目視でなく、画像処理装置（図示せず）により自動的に行わせるようにしてもよい。
【００１８】
以下に、本実施の形態における親水状態の検査方法の工程を説明する。検査は、次のような条件のもとで行なった。
【００１９】
ゴム印としては、「クイックデーター」（サンビー株式会社製）の６号丸（ゴム印面サイズが１９ｍｍ丸）。またそのゴム印の保水ゴムに刻む文字、すなわち印影となる文字としては、「特許」という文字とし、その文字の大きさが５ｍｍ×５ｍｍ、その文字間隔が２ｍｍとなるよう保水ゴムに彫刻した。また、有色水溶液を保水ゴムに塗布する手段としてのスタンプ台としては、「Ｓｈａｃｈｉｈａｔａ　水性染料系スタンプ台」（シヤチハタ工業株式会社製）のものを用いた。この条件のもとで、水との接触角が９．８度となる親水性被膜２１を検査被膜２の左半分として形成し、また、水との接触角が８９．６°となる撥水性被膜２２を検査被膜２の右半分としてそれぞれ形成して、この検査方法を適用した。
【００２０】
まず、ゴム印の保水ゴムをスタンプ台に押し当て、有色水溶液を保水ゴムに塗布する。
【００２１】
次に、有色水溶液を塗布した保水ゴムを、検査しようとする検査被膜２の表面にスタンプする。これにより、スタンプされた検査被膜２表面には、有色水溶液が液体として線状に存在する。
【００２２】
次に、この検査被膜２表面に液体として残っている有色水溶液のうち、その水成分を乾燥させる。乾燥させるに従い、有色水溶液は、その水成分が減少すると共に、水性染料が残留し始める。水成分が乾燥した後で、水性染料の残存状態を目視により観察する。
【００２３】
ここで、検査被膜２のうち、親水性被膜２１の部分においては、有色水溶液は、親水性被膜２１とよくなじむために凝集することなく、塗布された形状のまま存在する。従ってこの水成分の乾燥後においても、水性染料は、塗布された有色水溶液の形状と同じ形状で印影２１ａとして、親水性被膜２１表面上に残存することになる。そこで、この印影２１ａとして残存した水性染料を、目視観察すると、図１（ｂ）に示すように、文字形状に供給した有色水溶液と同じ形状であって、文字として認識することができると共に、普通紙における印影と略一致していると判断できることになる。
【００２４】
しかし、検査被膜２のうち、撥水性被膜２２の部分においては、供給された有色水溶液は撥水性被膜２２となじまないため、水滴として凝集しようとする。従って、水滴として凝集してしまった有色水溶液中の水成分を乾燥させると、その乾燥後においては、水性染料は、印影２２ａとして部分的に凝集した形状として、撥水性被膜２２表面上に残存することになる。そこで、この残存した水性染料を目視観察すると、最初は、有色水溶液が文字形状に供給されたにもかかわらず、水成分の乾燥後には、図１（ｃ）に示すように、水性染料は、印影２２ａとして文字形状に残存せず、文字として認識不可能となることになる。
【００２５】
すなわち、残存した水性染料を文字として認識できれば、その被膜は親水性を有していると判断でき、逆に文字として認識できなければ、その被膜は親水性を有していないと判断できる。以上を、本実施の形態における親水状態の検査方法としている。
【００２６】
なお、本実施の形態では、検査被膜２に供給する有色水溶液の形状を、線状の文字としていたが、文字だけでなく、単に一本の直線又は曲線、さらには、複数の直線又は曲線よりなる幾何学模様等どのような線状のものであってもよい。また、スタンプすることにより検査被膜２に供給する有色水溶液の量は、所定量だけとしているが、その押圧力、押圧時間に対応して変化するようにしてもよく、その場合にも、有色水溶液がその供給部分内に留まり、垂れなければよい。また、有色水溶液を保水するものとして、保水ゴムを用いたが、スポンジ状の軟質材料を用いるようにすると、凹凸の大きい検査被膜２の表面にも確実にスタンプすることができて好ましい。
【００２７】
また、水性染料としては、検査終了後にも検査被膜２にそのまま残存するものを用いていたが、水性染料に光分解性を持たせたものを用いるようにすれば、検査終了後の外観を向上することができて好ましい。というのは、外観上の問題で検査終了後に、検査被膜２上に残存した水性染料を除去したい場合、光分解性の水性染料を用いるようにすれば、その水性染料に光を照射することで、その水性染料を分解できるので、水性染料を除去する手間を削減することが可能となるからである。なお光分解性の材料とは、日光堅牢度が低い材料を指すこととしており、受光することで分解するものであれば、どのようなものでもよく、例えば、メチルバイオレットピュアスペシャル、ローダミンＢ、ベーシックバイオレットなどがある。
【００２８】
また、この光分解性と同様な効果を奏し得るものとして、熱分解性を有する材料を用いるようにしてもよい。この熱分解性とは、熱を加えることにより、分解するものであればどのようなものでもよい。
【００２９】
このように、検査する被膜表面に、水性染料を含有する有色水溶液を線状の文字として供給し、その供給した有色水溶液の水成分を乾燥させた後、被膜表面に残存した水性染料の残存状態を観測したときに、その水性染料が文字として読めるかどうかで判断できるので、親水状態の検査を容易に行なうことができる。
【００３０】
以上、本発明の好適な実施の形態を説明したが、本発明はこの実施の形態に限らず、種々の形態で実施することができる。
【００３１】
【発明の効果】
上記のように本発明の請求項１に記載の親水状態検査方法は、物質表面の親水状態を検査する方法であって、有色材料を含有させてなる有色水溶液を、前記物質表面に線状に供給した後、その線状に供給した前記有色水溶液中の水成分を乾燥させ、その水成分の乾燥後、前記物質表面に残存した前記有色材料のうち、前記線状に供給した部分における残存状態を観測するので、容易に親水状態の検査を行うことができる、という効果を奏する。
【００３２】
本発明の請求項２又は請求項３記載の親水状態検査方法によれば、上記の効果に加えて、前記有色水溶液を保水すると共に、前記物質表面に押圧されたときに、前記保水した有色水溶液を前記物質表面に供給する保水部が設けられたスタンプにより、前記有色水溶液は供給されるので、より容易に親水状態の検査を行うことができる、という効果を奏する。
【００３３】
本発明の請求項４記載の親水状態検査方法によれば、上記の効果に加えて、前記有色材料は、光分解性又は熱分解性を有するので、被膜に残存した有色材料を容易に除去することができる、という効果を奏する。
【００３４】
本発明の請求項５記載の親水状態検査方法によれば、上記の効果に加えて、前記有色材料は、水性の有色インクよりなるので、有色材料を含む有色水溶液の供給をより容易に行うことができる、という効果を奏する。
【図面の簡単な説明】
【図１】本発明に係わる親水状態検査方法の第１の実施の形態を示す図である
【符号の説明】
１　　　ガラス
２　　　検査被膜
２１　　親水性被膜
２１ａ　印影
２２　　撥水性被膜
２２ａ　印影
【図１】
2004028721.tif 000003